(57)【要約】【課題】放熱板を別途必要とせずに、照明用光源としてのＬＥＤの放熱を効率よく行う。【解決手段】照明用光源としてのＬＥＤ４１を備える照明装置であって、当該照明装置のフレーム２３にＬＥＤ４１を接続する。具体的には、ＬＥＤ４１が搭載された基板４２をフレーム２３に面接触させる。さらに、照明用光源としてキセノンライトを備え、キセノンライトの保持金具３３にフレーム２３が接続されている。そして、フレーム２３に補強フレーム２４が接続されている。【選択図】図３
2010145764.tif 000002
【特許請求の範囲】
【請求項１】
照明用光源としてのＬＥＤを備える照明装置であって、
当該照明装置のフレームに前記ＬＥＤを接続したことを特徴とする照明装置。
【請求項２】
前記ＬＥＤが搭載された基板を前記フレームに面接触させたことを特徴とする請求項１に記載の照明装置。
【請求項３】
前記照明用光源としてキセノンライトを備え、
前記キセノンライトの保持金具に前記フレームが接続されていることを特徴とする請求項１または２に記載の照明装置。
【請求項４】
前記フレームに補強フレームが接続されていることを特徴とする請求項１から３のいずれか一項に記載の照明装置。
【請求項５】
請求項１から４のいずれか一項に記載の照明装置を備えることを特徴とする撮影装置。
【請求項６】
請求項４に記載の前記補強フレームは、当該撮影装置のメインフレームに対し起倒可能に組み付けられていて、前記メインフレームに対し起立した状態で前記メインフレームに接続状態となることを特徴とする請求項５に記載の撮影装置。
【請求項７】
請求項４に記載の前記補強フレームは、当該撮影装置のメインフレームに対し起倒可能に組み付けられていて、前記メインフレームに対し接続部材を介して接続されていることを特徴とする請求項５に記載の撮影装置。
【発明の詳細な説明】
【技術分野】
【０００１】
本発明は、ＬＥＤによる照明装置と、そのＬＥＤによる照明装置を備える撮影装置に関する。
【背景技術】
【０００２】
デジタルカメラなどの撮影装置のストロボ光源として、常時点灯可能なＬＥＤが用いられ、ＬＥＤは発熱量が大きいため、放熱板が接続されている（例えば特許文献１、２、３参照）。
【特許文献１】特開２００７−１８７９１５号公報
【特許文献２】特開２００６−２４３３１０号公報
【特許文献３】特開２００７−３２７９１８号公報
【発明の開示】
【発明が解決しようとする課題】
【０００３】
しかし、放熱板を必要とするため、部品点数が増しコストアップの要因となる。また、放熱板だけではＬＥＤの放熱が必ずしも十分になされるものではなかった。
【０００４】
本発明の課題は、放熱板を別途必要とせずに、照明用光源としてのＬＥＤの放熱を効率良く行うことである。
【課題を解決するための手段】
【０００５】
以上の課題を解決するため、請求項１に記載の発明は、照明用光源としてのＬＥＤを備える照明装置であって、当該照明装置のフレームに前記ＬＥＤを接続したことを特徴とする。
【０００６】
請求項２に記載の発明は、請求項１に記載の照明装置であって、前記ＬＥＤが搭載された基板を前記フレームに面接触させたことを特徴とする。
【０００７】
請求項３に記載の発明は、請求項１または２に記載の照明装置であって、前記照明用光源としてキセノンライトを備え、前記キセノンライトの保持金具に前記フレームが接続されていることを特徴とする。
【０００８】
請求項４に記載の発明は、請求項１から３のいずれか一項に記載の照明装置であって、前記フレームに補強フレームが接続されていることを特徴とする。
【０００９】
請求項５に記載の発明は、請求項１から４のいずれか一項に記載の照明装置を備えることを特徴とする撮影装置。
【００１０】
請求項６に記載の発明は、請求項５に記載の撮影装置であって、請求項４に記載の前記補強フレームは、当該撮影装置のメインフレームに対し起倒可能に組み付けられていて、前記メインフレームに対し起立した状態で前記メインフレームに接続状態となることを特徴とする。
【００１１】
請求項７に記載の発明は、請求項５に記載の撮影装置であって、請求項４に記載の前記補強フレームは、当該撮影装置のメインフレームに対し起倒可能に組み付けられていて、前記メインフレームに対し接続部材を介して接続されていることを特徴とする。
【発明の効果】
【００１２】
本発明によれば、照明用光源としてのＬＥＤの放熱をフレーム部材の利用により効率良く行うことができ、放熱板を別途必要としないことからコストを抑えられる。
【発明を実施するための最良の形態】
【００１３】
以下、図を参照して本発明を実施するための最良の形態を詳細に説明する。
図１は本発明を適用した撮影装置の一実施形態の構成としてデジタルカメラのストロボ不使用状態を示したもので、図示のようにレンズユニット１の上にストロボユニット２が設けられている。
【００１４】
ストロボユニット２は、図２に示すように、起立した状態で前面にキセノンランプ発光部３とその上のＬＥＤ発光部４とを有している。
【００１５】
（実施形態１）
図３は実施形態１の構成として図２のストロボユニット２の部品を分解状態で示したもので、２１はストロボ下ケース、２２はストロボ上ケース、２３はストロボフレーム、２４はストロボ補強フレーム、２５は熱伝導シート、３３はキセノンライト保持金具、４１はＬＥＤ、４２はＬＥＤ基板、４３は両面接着テープである。
【００１６】
ストロボユニット２は、図示のように、上下に合体されるストロボ下ケース２１及びストロボ上ケース２２内にストロボフレーム２３、ストロボ補強フレーム２４、ＬＥＤ４１などを組み込んだものである。すなわち、前記ＬＥＤ発光部４内に取り付けられるＬＥＤ４１は、フレキシブル基板によるＬＥＤ基板４２の先端部に搭載されていて、このＬＥＤ基板４２は、板金によるストロボフレーム２３に両面接着テープ４３で接着されている。
【００１７】
ここで、ストロボフレーム２３は、中央に一段高い段差部を有する形状で、その形状に対応して三分割された両面接着テープ４３を介してＬＥＤ基板４２が接着されている。ストロボフレーム２３は、その中央の段差部がストロボ下ケース２１に組み付けられたキセノンライト保持金具３３を跨ぐようにしてストロボ下ケース２１にビス止め固定される。これにより、キセノンライト保持金具３３にＬＥＤ基板４２が接続されている。
【００１８】
そして、ストロボフレーム２３のＬＥＤ４１と反対側の端部には、熱伝導シート２５を挟んで、板金によるストロボ補強フレーム２４の一端部が接続されている。ストロボ補強フレーム２４は、ストロボ下ケース２１にビス止め固定される。
【００１９】
図４はＬＥＤ４１とストロボフレーム２３の接続状態を示したもので、図５はストロボユニット２の組み付け状態でストロボ上ケース２２を外した状態を示したものである。
【００２０】
図６はストロボユニット２の後述するメインフレームへの接続を示したもので、２６はヒンジ軸、２７はストロボベース金具、２８は熱伝導シート、２９はガイド金具である。すなわち、ストロボ補強フレーム２４は、ストロボフレーム２３と反対側の端部にヒンジ軸２６が回転自在に組み付けられ、このヒンジ軸２６はストロボベース金具２７に回転自在に支持されている。このストロボベース金具２７の上に熱伝導シート２８を挟んでガイド金具２９がビス止めされている。
【００２１】
図７はストロボ補強フレーム２４の起立動作を示したもので、このストロボ補強フレーム２４のヒンジ軸２６側の端部には、ストロボベース金具２７上のガイド金具２９に面接触可能な折り曲げ片２４ａが形成されている。
【００２２】
図８はレンズユニット１のメインフレーム及び鏡筒を分解して示したもので、１１はメイン下フレーム、１２はメイン上フレーム、１３は鏡筒である。すなわち、上下に合体されるマグネシウム製のメイン下フレーム１１及びメイン上フレーム１２により鏡筒１３が周囲を覆われている。そして、メイン上フレーム１２上に一対のストロボベース結合ボス１２ｂが一体に形成されている。
【００２３】
図９は起立状態のストロボ補強フレーム２４のメインフレームとの接続状態を示したもので、図示のように、メイン上フレーム１２上の一対のストロボベース結合ボス１２ｂにストロボベース金具２７がビス止め固定されていて、起立状態のストロボ補強フレーム２４の折り曲げ片２４ａがストロボベース金具２７上のガイド金具２９に面接触した状態となっている。
【００２４】
以上、実施形態のデジタルカメラによれば、ストロボユニット２を起立させたポップアップ状態にしてＬＥＤ４１を点灯させた場合、そのＬＥＤ４１の放熱をストロボフレーム２３及びストロボ補強フレーム２４、さらには、レンズユニット１のメインフレーム１１・１２を有効に利用して効率良く行うことができる。従って、放熱板を別途必要としないことからコストを抑えることができる。
【００２５】
すなわち、ＬＥＤ４１の発熱は、ＬＥＤ基板４２からキセノンライト保持金具３３とストロボフレーム２３にそれぞれ伝達して放熱される。さらに、ストロボフレーム２３から熱伝導シート２５を介してストロボ補強フレーム２４に伝達して放熱される。
【００２６】
また、ストロボ補強フレーム２４からヒンジ軸２６を介してストロボベース金具２７に伝達されるとともに、ガイド金具２９及び熱伝導シート２８を介してストロボベース金具２６に伝達して放熱される。そして、ストロボベース金具２６からレンズユニット１のメイン上フレーム１２に伝達して放熱され、さらに、メイン下フレーム１１に伝達して放熱される。
【００２７】
以上のフレーム部材を利用した効率的な放熱により、ＬＥＤ４１の点灯時間を長くしたり光量を増やすことができる。
【００２８】
（実施形態２）
図１０は実施形態２の構成として図２のストロボユニット２の部品を分解状態で示したもので、前述した実施形態１の図３と同様、２１はストロボ下ケース、２３はストロボフレーム、２４はストロボ補強フレーム、３３はキセノンライト保持金具、４１はＬＥＤ、４２はＬＥＤ基板、４３は両面接着テープである。
【００２９】
実施形態２は、図示のように、ストロボフレーム２３及びストロボ補強フレーム２４を一体化したもので、ストロボフレーム２３は、後半が一段高い段差部を介してストロボ補強フレーム２４に連続する形状で、その形状に対応して二分割された両面接着テープ４３を介してＬＥＤ基板４２が接着されている。ストロボフレーム２３は、後半段差部がストロボ下ケース２１に組み付けられたキセノンライト保持金具３３に載せるようにしてストロボ下ケース２１にビス止め固定される。これにより、キセノンライト保持金具３３にＬＥＤ基板４２が接続されている。
【００３０】
図１１はストロボユニット２の組み付け状態で前記ストロボ上ケース２２を外した状態を示したもので、図１２はそのストロボユニット２を前記レンズユニット１のメインフレームに接続部材を介して接続した状態を示したものである。
【００３１】
すなわち、ストロボ補強フレーム２４の前記ヒンジ軸２６側の端部に、黒鉛をシート状にしたグラファイトシート５を、図１２に示すように接続する。このグラファイトシート５の他端は、レンズユニット１の前記メイン上フレーム１２に接続される。
【００３２】
このように、ＬＥＤ４１の発熱を、一体のストロボフレーム２３及びストロボ補強フレーム２４からグラファイトシート５を介してレンズユニット１のメイン上フレーム１２に放熱するようにしても、前述した実施形態１と同様の作用効果が得られる。
【００３３】
（変形例）
なお、以上の実施形態においては、カメラとしたが、本発明はこれに限定されるものではなく、カメラを備える携帯電話などの機器であっても良い。
また、フレームの形状等も任意であり、その他、具体的な細部構造等についても適宜に変更可能であることは勿論である。
【図面の簡単な説明】
【００３４】
【図１】本発明を適用した撮影装置の一実施形態の構成を示すもので、カメラのストロボ不使用状態を示した斜視図である。
【図２】図１のカメラのストロボ使用状態を示した図である。
【図３】実施形態１の構成を示すもので、図２のストロボユニットの分解斜視図である。
【図４】図３のＬＥＤとストロボフレームの接続状態を示した側面図である。
【図５】図３のストロボユニットの組み付け状態で上ケースを外した状態を示した斜視図である。
【図６】図５のストロボユニットのメインフレームへの接続を示した分解斜視図である。
【図７】図６のストロボフレームの起立動作を示した斜視図である。
【図８】図１・図２のカメラのレンズユニットのメインフレーム及び鏡筒の分解斜視図である。
【図９】図７の起立状態のストロボフレームのメインフレームとの接続状態を示した斜視図である。
【図１０】実施形態２の構成を示すもので、図２のストロボユニットの分解斜視図である。
【図１１】図１０のストロボユニットの組み付け状態で上ケースを外した状態を示した斜視図である。
【図１２】図１１のストロボユニットをレンズユニットのメインフレームに接続部材を介して接続した状態を示した斜視図である。
【符号の説明】
【００３５】
１  レンズユニット
１１  メイン下フレーム
１２  メイン上フレーム
１３  鏡筒
２  ストロボユニット
２１  ストロボ下ケース
２２  ストロボ上ケース
２３  ストロボフレーム
２４  ストロボ補強フレーム
２５  熱伝導シート
２６  ヒンジ軸
２７  ストロボベース金具
２８  熱伝導シート
２９  ガイド金具
３  キセノンライト発光部
３３  キセノンライト保持金具
４  ＬＥＤ発光部
４１  ＬＥＤ
４２  ＬＥＤ基板
４３  両面接着テープ
５  接続部材
【図１】
2010145764.tif 000003
【図２】
2010145764.tif 000004
【図３】
2010145764.tif 000005
【図４】
2010145764.tif 000006
【図５】
2010145764.tif 000007
【図６】
2010145764.tif 000008
【図７】
2010145764.tif 000009
【図８】
2010145764.tif 000010
【図９】
2010145764.tif 000011
【図１０】
2010145764.tif 000012
【図１１】
2010145764.tif 000013
【図１２】
2010145764.tif 000014